(57)【要約】【課題】ページ番号の印字処理において、ユーザに対する使い勝手が向上された画像形成装置及び画像形成システムを提供することである。【解決手段】  複数の原稿ページから成る原稿の画像データに基づいて画像を記録媒体上に形成すると共に、記録媒体にページ番号を印字させる指示を受け付けた場合に記録媒体にページ番号を印字させる画像形成手段と、記録媒体に後処理を施す後処理手段とを備え、後処理の実行対象となる原稿ページの区分の指定を受け付けるページ単位設定エリアＧ２３と、ページ番号を印字させる指示を受け付け、且つ、後処理の実行対象となる原稿ページの区分を受け付けた場合、区分毎に開始番号が１に設定された連続番号をページ番号として印字させる制御部１１０と、を備えた画像形成装置２。【選択図】図１２
2007008124.tif 000002
【特許請求の範囲】
【請求項１】
複数の原稿ページから成る原稿の画像データに基づいて画像を記録媒体上に形成すると共に、前記記録媒体にページ番号を印字させる指示を受け付けた場合に前記記録媒体にページ番号を印字させる画像形成手段と、前記記録媒体に後処理を施す後処理手段とを有する画像形成装置において、
前記後処理の実行対象となる前記原稿ページの区分の指定を受け付ける後処理区分設定入力手段と、
前記ページ番号を印字させる指示を受け付け、且つ、前記後処理区分設定入力手段が後処理の実行対象となる前記原稿ページの区分を受け付けた場合、前記画像形成手段に、前記区分毎に開始番号が１に設定された連続番号を前記ページ番号として印字させる番号設定制御手段と、
を備えること、を特徴とする画像形成装置。
【請求項２】
複数の原稿ページから成る原稿の画像データに基づいて画像を記録媒体上に形成すると共に、前記記録媒体にページ番号を印字させる指示を受け付けた場合に前記記録媒体にページ番号を印字させる画像形成手段と、前記記録媒体に後処理を施す後処理手段とを有する画像形成装置において、
前記画像形成手段により画像が形成される記録媒体のうち、後処理を施す記録媒体と後処理を施さない記録媒体とを混在させる冊子分割モードの指定と、前記後処理の実行対象となる前記原稿ページの区分の指定を受け付ける後処理区分設定入力手段と、
前記ページ番号を印字させる指示が受け付けられ、且つ、前記後処理区分設定入力手段により、前記冊子分割モードの指定が受け付けされた場合、前記画像形成手段に、前記区分毎に開始番号が１に設定された連続番号を前記ページ番号として印字させる番号設定制御手段と、
を備えること、を特徴とする画像形成装置。
【請求項３】
前記原稿ページの各区分に対して画像が形成された記録媒体に印字される前記ページ番号を、前記原稿ページの区分毎に開始番号を１に設定された連続番号とするか否かの設定指示を受け付ける開始番号選択入力手段を備え、
前記番号設定制御手段は、前記開始番号選択入力手段によって入力された設定指示に基づいて、前記原稿ページの区分毎の前記ページ番号の開始番号を設定すること、
を特徴とする請求項１又は２記載の画像形成装置。
【請求項４】
前記後処理とは、前記画像が形成された複数の記録媒体を綴じるステイプル処理であること、
を特徴とする請求項１から３のいずれか一項に記載の画像形成装置。
【請求項５】
前記ページ番号の種類の選択指示を受け付けるページ番号種類選択手段を備えること、
を特徴とする請求項１から４のいずれか一項に記載の画像形成装置。
【請求項６】
前記番号設定制御手段は、前記ページ番号種類選択手段によって、前記原稿ページの区分を識別する章番号及び前記原稿ページの各区分に対する記憶媒体のページ番号を識別する章ページ番号から成るページ番号が選択された場合、前記章番号を前記原稿ページの区分毎に設定し、前記章ページ番号を前記原稿ページの区分毎に開始番号を１に設定された連続番号に設定すること、
を特徴とする請求項５記載の画像形成装置。
【請求項７】
複数の原稿ページデータから成る画像データ、前記画像データに基づいて画像が形成された記録媒体にページ番号を印字させる指示及び前記記録媒体が施される後処理の指示を送信する操作装置と、前記操作装置から受信した画像データに基づいて画像を記録媒体上に形成すると共に前記記録媒体にページ番号を印字させる指示を受信した場合において前記記録媒体にページ番号を印字させる画像形成手段と、前記記録媒体に前記操作装置から受信した後処理を施す後処理手段とを有する画像形成装置と、が通信可能に接続された画像形成システムにおいて、
前記操作装置は、
前記後処理の実行対象となる原稿ページデータの区分の指定を受け付け、前記画像形成装置に送信する後処理区分設定入力手段を備え、
前記画像形成装置は、
前記操作装置から、前記ページ番号を印字させる指示と前記後処理の実行対象となる原稿ページデータの区分の指定を受信した場合、前記画像形成手段に、前記区分毎に開始番号が１に設定された連続番号を前記ページ番号として印字させる番号設定制御手段を備えること、
を特徴とする画像形成システム。
【請求項８】
複数の原稿ページデータから成る画像データ、前記画像データに基づいて画像が形成された記録媒体にページ番号を印字させる指示及び前記記録媒体が施される後処理の指示を送信する操作装置と、前記操作装置から受信した画像データに基づいて画像を記録媒体上に形成すると共に前記記録媒体にページ番号を印字させる指示を受信した場合において前記記録媒体にページ番号を印字させる画像形成手段と、前記記録媒体に前記操作装置から受信した後処理を施す後処理手段とを有する画像形成装置と、が通信可能に接続された画像形成システムにおいて、
前記操作装置は、
前記画像形成手段により画像が形成される記録媒体のうち、後処理を施す記録媒体と後処理を施さない記録媒体とを混在させる冊子分割モードの指定と、前記後処理の実行対象となる原稿ページデータの区分の指定を受け付け、前記画像形成装置に送信する後処理区分設定入力手段を備え、
前記画像形成装置は、
前記操作装置から、前記ページ番号を印字させる指示と前記冊子分割モードの指定を受け付けた場合、前記画像形成手段に、前記区分毎に開始番号が１に設定された連続番号を前記ページ番号として印字させる番号設定制御手段を備えること、
を特徴とする画像形成システム。
【請求項９】
前記操作装置は、
前記原稿ページデータの各区分に対して画像が形成された記録媒体に印字される前記ページ番号を、前記原稿ページの区分毎に開始番号を１に設定された連続番号とするか否かの設定指示を受け付ける開始番号選択入力手段を備え、
前記番号設定制御手段は、前記開始番号選択入力手段によって入力された設定指示に基づいて、前記原稿ページデータの区分毎の前記ページ番号の開始番号を設定すること、
を特徴とする請求項７又は８記載の画像形成システム。
【請求項１０】
前記後処理とは、前記画像が形成された複数の記録媒体を綴じるステイプル処理（ステイプル処理）であること、
を特徴とする請求項７から９のいずれか一項に記載の画像形成システム。
【請求項１１】
前記操作装置は、前記ページ番号の種類の選択指示が入力されるページ番号種類選択手段を備えること、
を特徴とする請求項７から１０のいずれか一項に記載の画像形成システム。
【請求項１２】
前記開始番号設定手段は、前記ページ番号種類選択手段によって、前記原稿ページデータの区分を識別する章番号及び前記原稿ページデータの各区分における記憶媒体のページ番号を識別する章ページ番号から成るページ番号が選択された場合、前記章番号を前記原稿ページデータの区分毎に設定し、前記章ページ番号を前記原稿ページデータの区分毎に開始番号を１に設定された連続番号に設定すること、
を特徴とする請求項１１記載の画像形成システム。
【請求項１３】
前記操作装置は、
表示手段を有し、
前記冊子分割モードの指定又は前記区分の指定に基づき、前記表示手段に前記ページ番号の種類の選択指示を促す表示を行うこと、
を特徴とする請求項１１記載の画像形成システム。
【発明の詳細な説明】
【技術分野】
【０００１】
本発明は、原稿画像を記録媒体上に形成する画像形成手段及び原稿画像が形成された記録媒体に対して後処理を施す後処理手段を備えた画像形成装置、当該画像形成装置と当該画像形成装置を操作する操作装置とが通信可能に接続された画像形成システムに関する。
【背景技術】
【０００２】
近年、原稿画像を記録媒体上に形成する画像形成手段と、原稿画像が形成された記録媒体に対して、パンチ処理、ステイプル処理及び折り処理等の後処理を施す後処理手段とを備えた画像形成装置が提供されている。
【０００３】
例えば、このような画像形成装置としては、複数部の記録媒体の束を全て出力した後に、一括して部毎に綴じ処理を行うことができるようにするために、任意のページを指定するページ入力手段と、指定されたページ毎に指定したページまでの複写用紙を綴じるよう制御する制御手段とを備える複写装置が開示されている（特許文献１参照）。
【０００４】
更に、ステイプル処理、折り処理等の後処理に加え、ページ番号の印字、レイアウト処理等の機能を有する画像形成装置が登場している。このような画像形成装置には、複数の記録媒体、ジョブ単位、複数ページ単位、ページ単位での画像形成条件の設定を変更可能とする画像形成装置がある。
【０００５】
例えば、複数ページの原稿を複数のグループに分け、グループ毎に設定された画像形成条件に従って全グループの画像形成を行う画像形成装置や、複数ページの原稿全体に関わる第１画像形成条件とは別に、複数ページの原稿全体のうち所定ページに対して、レイアウト・情報付加・後処理のうち少なくとも１つを第１画像形成条件とは異なる条件（第２画像形成条件）に設定する手段を備え、所定ページは第２画像形成条件に従って画像形成を行う画像形成装置が開示されている（特許文献２参照）。
【特許文献１】特開平４−１４２９９３号公報
【特許文献２】特開２００４−２８７４１１号公報
【発明の開示】
【発明が解決しようとする課題】
【０００６】
しかしながら、このような従来の画像形成装置においては、複数の原稿ページから成る原稿グループが複数集まった原稿に対してページ番号を印字する場合、原稿ページ毎或いは原稿グループ毎にユーザが開始番号を設定しないと各ページ番号は原稿全体を通して連続した番号が印字されてしまうため、原稿ページ毎或いは原稿グループ毎にページ番号の開始番号を設定しなくてはならず、ユーザにとって煩雑な作業となり使い勝手も良いものではないという問題がある。
【０００７】
本発明の課題は、ページ番号の印字処理において、ユーザに対する使い勝手が向上された画像形成装置及び画像形成システムを提供することである。
【課題を解決するための手段】
【０００８】
請求項１に記載の発明は、複数の原稿ページから成る原稿の画像データに基づいて画像を記録媒体上に形成すると共に、前記記録媒体にページ番号を印字させる指示を受け付けた場合に前記記録媒体にページ番号を印字させる画像形成手段と、前記記録媒体に後処理を施す後処理手段とを有する画像形成装置において、前記後処理の実行対象となる前記原稿ページの区分の指定を受け付ける後処理区分設定入力手段と、前記ページ番号を印字させる指示を受け付け、且つ、前記後処理区分設定入力手段が後処理の実行対象となる前記原稿ページの区分を受け付けた場合、前記画像形成手段に、前記区分毎に開始番号が１に設定された連続番号を前記ページ番号として印字させる番号設定制御手段と、を備える画像形成装置であること、を特徴としている。
【０００９】
請求項２に記載の発明は、複数の原稿ページから成る原稿の画像データに基づいて画像を記録媒体上に形成すると共に、前記記録媒体にページ番号を印字させる指示を受け付けた場合に前記記録媒体にページ番号を印字させる画像形成手段と、前記記録媒体に後処理を施す後処理手段とを有する画像形成装置において、前記画像形成手段により画像が形成される記録媒体のうち、後処理を施す記録媒体と後処理を施さない記録媒体とを混在させる冊子分割モードの指定と、前記後処理の実行対象となる前記原稿ページの区分の指定を受け付ける後処理区分設定入力手段と、前記ページ番号を印字させる指示が受け付けられ、且つ、前記後処理区分設定入力手段により、前記冊子分割モードの指定が受け付けされた場合、前記画像形成手段に、前記区分毎に開始番号が１に設定された連続番号を前記ページ番号として印字させる番号設定制御手段と、を備える画像形成装置であること、を特徴としている。
【００１０】
請求項３に記載の発明は、請求項１又は２記載の画像形成装置において、前記原稿ページの各区分に対して画像が形成された記録媒体に印字される前記ページ番号を、前記原稿ページの区分毎に開始番号を１に設定された連続番号とするか否かの設定指示を受け付ける開始番号選択入力手段を備え、前記番号設定制御手段は、前記開始番号選択入力手段によって入力された設定指示に基づいて、前記原稿ページの区分毎の前記ページ番号の開始番号を設定すること、を特徴としている。
【００１１】
請求項４に記載の発明は、請求項１から３のいずれか一項に記載の画像形成装置において、前記後処理とは、前記画像が形成された複数の記録媒体を綴じるステイプル処理であること、を特徴としている。
【００１２】
請求項５に記載の発明は、請求項１から４のいずれか一項に記載の画像形成装置において、前記ページ番号の種類の選択指示を受け付けるページ番号種類選択手段を備えること、を特徴としている。
【００１３】
請求項６に記載の発明は、請求項５記載の画像形成装置において、前記番号設定制御手段は、前記ページ番号種類選択手段によって、前記原稿ページの区分を識別する章番号及び前記原稿ページの各区分に対する記憶媒体のページ番号を識別する章ページ番号から成るページ番号が選択された場合、前記章番号を前記原稿ページの区分毎に設定し、前記章ページ番号を前記原稿ページの区分毎に開始番号を１に設定された連続番号に設定すること、を特徴としている。
【００１４】
請求項７に記載の発明は、複数の原稿ページデータから成る画像データ、前記画像データに基づいて画像が形成された記録媒体にページ番号を印字させる指示及び前記記録媒体が施される後処理の指示を送信する操作装置と、前記操作装置から受信した画像データに基づいて画像を記録媒体上に形成すると共に前記記録媒体にページ番号を印字させる指示を受信した場合において前記記録媒体にページ番号を印字させる画像形成手段と、前記記録媒体に前記操作装置から受信した後処理を施す後処理手段とを有する画像形成装置と、が通信可能に接続された画像形成システムにおいて、前記操作装置は、前記後処理の実行対象となる原稿ページデータの区分の指定を受け付け、前記画像形成装置に送信する後処理区分設定入力手段を備え、前記画像形成装置は、前記操作装置から、前記ページ番号を印字させる指示と前記後処理の実行対象となる原稿ページデータの区分の指定を受信した場合、前記画像形成手段に、前記区分毎に開始番号が１に設定された連続番号を前記ページ番号として印字させる番号設定制御手段を備える画像形成システムであること、を特徴としている。
【００１５】
請求項８に記載の発明は、複数の原稿ページデータから成る画像データ、前記画像データに基づいて画像が形成された記録媒体にページ番号を印字させる指示及び前記記録媒体が施される後処理の指示を送信する操作装置と、前記操作装置から受信した画像データに基づいて画像を記録媒体上に形成すると共に前記記録媒体にページ番号を印字させる指示を受信した場合において前記記録媒体にページ番号を印字させる画像形成手段と、前記記録媒体に前記操作装置から受信した後処理を施す後処理手段とを有する画像形成装置と、が通信可能に接続された画像形成システムにおいて、前記操作装置は、前記画像形成手段により画像が形成される記録媒体のうち、後処理を施す記録媒体と後処理を施さない記録媒体とを混在させる冊子分割モードの指定と、前記後処理の実行対象となる原稿ページデータの区分の指定を受け付け、前記画像形成装置に送信する後処理区分設定入力手段を備え、前記画像形成装置は、前記操作装置から、前記ページ番号を印字させる指示と前記冊子分割モードの指定を受け付けた場合、前記画像形成手段に、前記区分毎に開始番号が１に設定された連続番号を前記ページ番号として印字させる番号設定制御手段を備える画像形成システムであること、を特徴としている。
【００１６】
請求項９に記載の発明は、請求項７又は８記載の画像形成システムにおいて、前記操作装置は、前記原稿ページデータの各区分に対して画像が形成された記録媒体に印字される前記ページ番号を、前記原稿ページの区分毎に開始番号を１に設定された連続番号とするか否かの設定指示を受け付ける開始番号選択入力手段を備え、前記番号設定制御手段は、前記開始番号選択入力手段によって入力された設定指示に基づいて、前記原稿ページデータの区分毎の前記ページ番号の開始番号を設定すること、を特徴としている。
【００１７】
請求項１０に記載の発明は、請求項７から９のいずれか一項に記載の画像形成システムにおいて、前記後処理とは、前記画像が形成された複数の記録媒体を綴じるステイプル処理であること、を特徴としている。
【００１８】
請求項１１に記載の発明は、請求項７から１０のいずれか一項に記載の画像形成システムにおいて、前記操作装置は、前記ページ番号の種類の選択指示が入力されるページ番号種類選択手段を備えること、を特徴としている。
【００１９】
請求項１２に記載の発明は、請求項１１記載の画像形成システムにおいて、前記開始番号設定手段は、前記ページ番号種類選択手段によって、前記原稿ページデータの区分を識別する章番号及び前記原稿ページデータの各区分における記憶媒体のページ番号を識別する章ページ番号から成るページ番号が選択された場合、前記章番号を前記原稿ページデータの区分毎に設定し、前記章ページ番号を前記原稿ページデータの区分毎に開始番号を１に設定された連続番号に設定すること、を特徴としている。
【００２０】
請求項１３に記載の発明は、請求項１１記載の画像形成システムにおいて、前記操作装置は、表示手段を有し、前記冊子分割モードの指定又は前記区分の指定に基づき、前記表示手段に前記ページ番号の種類の選択指示を促す表示を行うこと、を特徴としている。
【発明の効果】
【００２１】
請求項１、２、７又は８に記載の発明によれば、後処理が実行される原稿ページの区分毎のページ番号を１から開始される連続番号として印字させることができるため、ユーザは、後処理が実行される原稿ページの区分毎に個別にページ番号の開始番号を設定する手間が省かれるため、ユーザに対する使い勝手を向上させることができる。
【００２２】
請求項３又は９に記載の発明によれば、請求項１、２、７又は８と同様の効果を得られるのは勿論のこと、記録媒体に印字されるページ番号を、原稿ページの区分毎に開始番号を１に設定された連続番号とするか、複数の原稿ページから成る原稿全体とした連続番号とするかをユーザに任意に選択させることができ、ユーザに対する利便性を向上させることができる。
【００２３】
請求項４又は１０に記載の発明によれば、請求項１から３のいずれか一項、若しくは請求項７から９のいずれか一項と同様の効果を得られるのは勿論のこと、ステイプル処理が施される記録媒体の束に印字されるページ番号は、必ず１から開始されるため、記録媒体の束毎に開始番号が１から始まる連続番号のページ番号を印字させることができる。
【００２４】
請求項５又は１１に記載の発明によれば、請求項１から４のいずれか一項、若しくは請求項７から１０のいずれか一項と同様の効果を得られるのは勿論のこと、ページ番号の種類をユーザに選択させることができるため、ユーザが所望するページ番号の種類を記録媒体に印字させることができる。
【００２５】
請求項６又は１２に記載の発明によれば、請求項５又は１１と同様の効果を得られるのは勿論のこと、原稿ページの区分を識別する章番号を印字できると共に、原稿ページの各区分における記録媒体のページ番号の開始番号を１から開始させることができるため、原稿ページの区分が明確となると共にページ番号が原稿全体として統一性を有することができる。
【００２６】
請求項１３に記載の発明によれば、ページ番号の種類の選択指示を促す表示を表示手段に表示させることができるため、ユーザにたいする利便性を向上させることができる。
【発明を実施するための最良の形態】
【００２７】
以下、図を参照して本発明の実施の形態を詳細に説明する。
まず、構成を説明する。
図１に、本実施の形態における画像形成システムＡの構成を示す。
【００２８】
図１に示すように、画像形成システムＡは、操作装置１と画像形成装置２とを備え、各装置はネットワークＮを介して通信可能に構成されている。なお、図１には、１台の操作装置１と３台の画像形成装置２が接続された例を示したが、各装置の設置台数は特に限定しない。
【００２９】
操作装置１は、画像形成装置２を遠隔操作することを目的とし、例えば、操作装置１から画像形成装置２を制御して印刷処理を実行させる場合に、操作装置１は印刷時に設定された各種設定条件及び画像データを画像形成装置２が処理可能なプリンタ記述言語等に基づくデータ形態に変換して画像形成装置２に送信する。データ変換には、プリンタドライバと呼ばれるソフトウェアを用いて実行される。このようなプリンタドライバを有する操作装置１としては、例えば、汎用のＰＣ等の情報処理装置が適用可能である。
【００３０】
画像形成装置２は、記録媒体上に画像を形成する画像形成機能と、画像が形成された記録媒体に対して穴あけ処理、ステイプル処理、折り処理、断裁処理等の後処理機能とを併せ持ち、装置本体に設けられた操作部からの設定指示又は操作装置１から送信される各種指示信号に従って処理を行う装置である。
【００３１】
ネットワークＮは、ＬＡＮ（Local Area Network）、ＷＡＮ（Wide Area Network）としてもよく、また、電話回線網、ＩＳＤＮ（Integrated Services Digital Network）回線網、広帯域通信回線網、専用線、移動体通信網、通信衛星回線、ＣＡＴＶ（Community Antenna Television）回線、光通信回線、無線通信回線等と、それらを接続するインターネットサービスプロバイダなどを含む構成でもよい。
【００３２】
まず、操作装置１について説明する。
図２に、操作装置１の内部構成を示す。
図２に示すように、操作装置１は、制御部１１、記憶部１２、ＲＡＭ（Random Access Memory）１３、操作部１４、表示部１５、通信部１６等を備え、各部はバス１７等を介して互いに通信可能に接続されている。
【００３３】
制御部１１は、ＣＰＵ（Central Processing Unit）等を備え、記憶部１２に記憶されているシステムプログラム、各種制御プログラム、各種データ等をＲＡＭ１３内に展開し、これらのプログラム及びデータとの協働により、操作装置１の動作全般を統括的に制御する。また、制御部１１は、ＲＡＭ１３に展開したプログラムに従って各種処理を実行し、その処理結果をＲＡＭ１３に格納するとともに、表示部１５に表示させる。そして、ＲＡＭ１３に格納した処理結果を記憶部１２の所定の保存先に保存させる。
【００３４】
また制御部１１は、記憶部１２に記憶されたアプリケーションソフトプログラムやプリンタドライバを実行させるプリンタドライバプログラム１２ａ及び各種データの協働によって印刷制御処理等を実行し、その処理結果をＲＡＭ１３に格納するとともに、表示部１５に表示させる。
【００３５】
記憶部１２は、ＲＯＭ（Read Only Memory）やＨＤＤ（Hard Disk Drive）等の不揮発性の記憶媒体を備え、この記憶媒体内に、制御部１１により実行されるシステムプログラム、各種制御プログラム、各種アプリケーションプログラム、プリンタドライバプログラム１２ａ及びこれらのプログラムに係るデータ等を記憶している。
【００３６】
ＲＡＭ１３は、制御部１１によって実行される各種プログラム及びこれらに係るデータを一時的に記憶するワークエリアを形成する。
【００３７】
操作部１４は、操作装置１内及び画像形成装置２に対する動作指示を入力するための数字キー、文字キー、カーソル移動キー及び各種機能キー等から構成されたキーボードと、マウス等のポインティングデバイスとを備えて構成される。操作部１４は、キーボードによる押下信号とマウスによる操作信号とを入力信号として制御部１１に出力する。
【００３８】
表示部１５は、ＬＣＤ（Liquid Crystal Display）等を備えて構成され、制御部１１から入力される表示信号に従って表示画面上に各種設定画面の表示を行う。
【００３９】
通信部１６は、ネットワークインターフェースカード（ＮＩＣ；Network Interface Card）、モデム（ＭＯＤＥＭ：MOdulator-DEModulator）、ＵＳＢ（Universal Serial Bus）等の各種インターフェイスを備えて構成され、ネットワークＮ上の外部機器と相互に情報の送受信を行う送信手段である。
【００４０】
図３〜５に、表示部１５の表示画面上に表示させる各種設定画面の例を示す。各種設定画面は、操作装置１がプリンタドライバを実行させて画像形成装置２に印刷処理を実行させる際に印刷処理における各種設定条件を指示するための画面である。
図３に、セットアップ画面Ｇ０、図４に、ページ単位設定画面Ｇ２０ａ、図５に、ウォーターマーク設定画面Ｇ３０の例を示す。
【００４１】
図３に示すセットアップ画面Ｇ０には、用紙設定エリアＧ１１、出力設定エリアＧ１２、製本設定エリアＧ１３、プレビューエリアＧ１４を含むセットアップインデックスＧ１と、ページ単位設定画面に切り替えるページ単位設定インデックスＧ２、特殊機能設定画面に切り替える特殊画面インデックスＧ３、フォーム設定画面に切り替えるフォームインデックスＧ４、ウォーターマーク設定画面に切り替えるウォーターマークインデックスＧ５、画像品質設定画面に切り替える画像品質インデックスＧ６、フォント設定画面に切り替えるフォントインデックスＧ７、プリンタドライバの改訂版を表示するバージョン確認画面に切り替えるバージョンインデックスＧ８等を有する。
【００４２】
製本設定エリアＧ１３は、綴じ位置を設定する綴じ位置設定釦やコピーモードを設定するコピーモード設定釦、複数の原稿を１ページに割り付けて集約するか否かを設定するページ割付チェックボックス、ページ割付チェックボックスがチェックされた場合に集約される原稿の数を設定する集約枚数設定釦、とじ代を任意に設定するか否かを設定するとじ代チェックボックス、とじ代チェックボックスがチェックされた場合にとじ代の幅や画像位置等のとじ代の詳細な情報を設定する画面を表示させる綴じ代設定釦、ステイプルの有無を設定するステイプルチェックボックスＧ１３ａ、ステイプルチェックボックスＧ１３ａがチェックされた場合にステイプルの種類を設定するステイプル設定釦Ｇ１３ｂ等を有している。
【００４３】
図４に示すページ単位設定画面Ｇ２０ａは、オモテ表紙設定エリアＧ２１、ウラ表紙設定エリアＧ２２、ページ単位設定エリアＧ２３、プレビューエリアＧ２４等を含むページ単位設定インデックスＧ２が表示されている。
【００４４】
ここで、本実施の形態においては、ページ単位設定チェックボックスＧ２３ａへチェックを行うことにより、後処理を施す記録媒体と後処理を施さない記録媒体とを混在させる冊子分割モードの指定がなされる。
【００４５】
ページ単位設定エリアＧ２３は、原稿ページ単位毎に各種設定条件を設定するか否かの設定を行うページ単位設定チェックボックスＧ２３ａ、ページ単位設定チェックボックスＧ２３ａがチェックされた場合に予め定められた複数の各種設定条件からユーザが所望する各種設定条件を設定する条件選択釦Ｇ２３ｂ、ページ単位設定チェックボックスＧ２３ａがチェックされた場合の原稿ページ毎の各種設定条件条件（個別条件）が表示されたページ別条件一覧エリアＧ２３ｃ等を有している。
【００４６】
ページ別条件一覧エリアＧ２３ｃは、原稿ページを識別する識別番号と識別番号に対応して後処理の種類の設定（ここでは、ステイプルの有無及びステイプル位置を示す。）、設定された後処理が実行対象となる原稿ページの終了位置（区分位置）か否かの指定（ここでは、ステイプル終了位置を示す。）等の個別条件が変更可能に表示されている。ここでは、６枚の原稿ページについて、それぞれ各条件について個別に設定されている。例えば、識別番号が１及び２、４及び５の原稿ページは、ステイプルが１ヶ所、ステイプルの終了位置の指定なしと設定されており、識別番号が３及び６の原稿ページは、ステイプルが１ヶ所、ステイプルの終了位置の指定ありと設定されている。従って、１〜３の原稿ページの画像が形成されステイプル処理された記録媒体の束と、識別番号４〜６の原稿ページの画像が形成されステイプル処理された記録媒体の束との２つの記録媒体の束が形成されることとなる。
【００４７】
なお、個別条件としては、後処理の種類、区分位置のみに限らず、コピーモード、給紙トレイ等を含んでもよく、これに限らない。
【００４８】
プレビューエリアＧ２４は、ページ別条件一覧エリアＧ２３ｃにおいて、選択された原稿ページの印刷イメージ画像が表示される。
【００４９】
図５に示すウォーターマーク設定画面Ｇ３０は、ウォーターマーク設定エリアＧ３１、日付／時刻設定エリアＧ３２、ページ番号設定エリアＧ３３、ナンバリング設定エリアＧ３４、プレビューエリアＧ３５等を有している。
【００５０】
ページ番号設定エリアＧ３３は、画像データが形成される記憶媒体にページ番号を印字させるか否かの設定指示を行うページ番号設定チェックボックスＧ３３ａ、ページ番号設定チェックボックスＧ３３ａがチェックされた場合にページ番号の種類を設定するページ番号種設定釦Ｇ３３ｂ、ページ番号を印字する原稿ページを設定する印刷対象ページ設定釦Ｇ３３ｃ、原稿ページ全体を連続した通し番号としてページ番号を印字するか否かを設定する通し番号設定チェックボックスＧ３３ｄ、ページ番号の印字を開始する原稿ページを設定するページ印字開始設定釦Ｇ３３ｅ、ページ番号の開始番号を設定する開始番号設定釦Ｇ３３ｆ等が表示されている。
【００５１】
プレビューエリアＧ３５は、ウォーターマーク設定画面Ｇ３０において設定された記録媒体のイメージ画像が表示されている。ページ番号設定チェックボックスＧ３３ａが設定された場合には、記録媒体毎に印字されるページ番号のイメージを報知するイメージ画像を表示することが好ましい。
【００５２】
このように、プリンタドライバにより実行される各種設定画面により、後処理の実行対象となる原稿ページの区分の指定を受け付ける後処理区分設定入力手段（ページ単位設定エリアＧ２３）と、ページ番号を原稿ページの区分毎に開始番号を１に設定された連像番号とするか否かの設定指示を受け付ける開始番号選択入力手段（通し番号設定チェックボックスＧ３３ｄ）と、ページ番号の種類の選択指示を受け付けるページ番号種類選択手段（ページ番号種設定釦Ｇ３３ｂ）としての機能を実現する。
【００５３】
次に、画像形成装置２について説明する。
図６に、画像形成装置２の断面構成図を示す。
画像形成装置２は、原稿から画像を読み取り、読み取った画像を処理対象紙としての紙等の記録媒体Ｐに画像形成したり、操作装置１等から画像データを受信し画像データに基づいて画像を記録媒体Ｐ上に形成する画像形成手段と、画像が形成された記録媒体に対して、パンチ処理、ステイプル処理、折り処理、断裁処理等を施す後処理手段等を備えたデジタル複合機である。図６に示すように、画像形成装置２は、画像読取部２０と、プリント部４０と、後処理ユニット５０と、を備えて構成される。
【００５４】
画像読取部２０は、ＡＤＦ（Auto Document Feeder）と称される自動原稿送り部２１と読取部２２とを備える。自動原稿送り部２１の原稿トレイＴ１に載置された原稿ｄは、読取部２２の読取個所であるコンタクトガラスに搬送され、読取部２２の光学系により原稿ｄの片面又は両面の画像が読み取られ、ＣＣＤ（Charge Coupled Device）イメージセンサ２２ａにより原稿ｄの画像が読み取られる。ここで、画像とは、図形や写真等のイメージデータに限らず、文字や記号等のテキストデータ等も含む意である。
【００５５】
読取部２２により読み取られた画像（アナログ画像信号）は、後述する画像制御部に出力され、画像制御部においてＡ／Ｄ変換され各種画像処理が施された後、プリント部４０に出力される。
【００５６】
プリント部４０は、入力されたプリントデータに基づいて、電子写真方式の画像形成処理を行うものであり、給紙部４１、給紙搬送部４２、画像形成部４３、定着部４４、搬出部４５を備えて構成される。
【００５７】
給紙部４１は、複数の給紙カセット４１ａ、給紙手段４１ｂ、手差しトレイＴ２等を備える。給紙カセット４１ａは、給紙カセット４１ａ毎にサイズや種類毎に予め識別された記録媒体Ｐが収容されており、給紙手段４１ｂによって収容された記録媒体Ｐを最上部から一枚ずつ給紙搬送部４２に向けて搬送する。手差しトレイＴ２は、ユーザのニーズに合わせて様々な種類の記録媒体Ｐをその都度積載可能となっており、給紙ローラによって積載された記録媒体Ｐを最上部から一枚ずつ給紙搬送部４２に向けて搬送する。
【００５８】
給紙搬送部４２は、給紙カセット４１ａ又は手差しトレイＴ２から搬送された記録媒体Ｐを、複数の中間ローラ、レジストローラ４２ａ等を経て転写装置４３ａへと搬送する。
また、給紙搬送部４２は、搬送路切換板により、片面画像形成処理済みの記録媒体Ｐを自動両面給紙搬送路に搬送し、再び中間ローラ、レジストローラ４２ａを経て転写装置４３ａへと搬送する。
【００５９】
画像形成部４３は、感光体ドラム、帯電装置、画像データを表すレーザ光を出力するレーザ出力部とレーザ光を主走査方向に走査させるポリゴンミラーとを有する露光装置、現像装置、転写装置４３ａ、クリーニング部を備えている。具体的には、帯電装置により帯電された感光体ドラムに露光装置でレーザ光を照射して静電潜像を形成する。そして、現像装置は、静電潜像が形成された感光体ドラムの表面に帯電したトナーを付着させて静電潜像を現像する。現像装置により感光体ドラム上に形成されたトナー像は、転写装置４３ａにおいて記録媒体Ｐに転写される。また、記録媒体Ｐにトナー像が転写された後、感光体ドラムの表面の残留電荷や残留トナー等は、クリーニング部により除去される。
【００６０】
定着部４４は、給紙搬送部４２によって搬送された記録媒体Ｐに転写されたトナー像を熱定着する。定着処理された記録媒体Ｐは、搬出部４５の排紙ローラに挟持されて搬出口から後処理ユニット５０へ出力される。
【００６１】
後処理ユニット５０は、画像が形成された記録媒体のソート処理を行うソート部、パンチ穴をあけるパンチ処理を行うパンチユニット、記憶媒体の束にステイプルをとめるステイプル処理を行うステイプルユニット、折り処理を行う折りユニット、断裁処理を行う断裁ユニット等を備える。各種処理が施された又は施されなかった記録媒体は、排紙トレイＴ３に排紙される。
【００６２】
図７に、画像形成装置２の制御ブロック図を示す。
図７に示すように、画像形成装置２は、本体部２ａとプリンタコントローラ２ｂと、本体部２ａに接続された後処理ユニット５０から構成されている。画像形成装置２は、プリンタコントローラ２ｂのＬＡＮＩＦ（Local Area Network InterFace）２４ｂを介してネットワークＮ上の操作装置１と相互に情報の送受信が可能に接続されている。
【００６３】
本体部２ａは、画像読取部２０、操作表示部３０、プリント部４０、本体制御部１００を備えて構成される。なお、図６で説明した各部と同一の構成には、同一の符号を付してその説明を省略する。
【００６４】
本体制御部１００は、制御部１１０、不揮発メモリ１２０、ＲＡＭ（Random Access Memory）１３０、読取処理部１４０、圧縮ＩＣ１５０、ＤＲＡＭ（Dynamic Random Access Memory）制御ＩＣ１６０、画像メモリ１７０、伸長ＩＣ１８０、書込処理部１９０から構成される。
【００６５】
制御部１１０は、ＣＰＵ（Central Processing Unit）等から構成され、不揮発メモリ１２０に格納されている各種処理プログラムに従って画像形成装置２の各部の動作を集中制御する。例えば、操作表示部３０や操作装置１から入力される指示信号に従って、コピーモード、プリンタモード、スキャナモードを切り替え、不揮発メモリ１２０に記憶されている各モードに対する処理プログラムを読み出して、複写、印刷、画像データの読取等の制御を行う。
【００６６】
また、制御部１１０は、プリント部４０のプリント制御部４００に対して、画像書込信号ＰＶＶを送信する。画像書込信号ＰＶＶがＯＮ状態である場合を感光体ドラム上に形成されたトナー像が転写装置４３ａにおいて記録媒体Ｐに転写されている状態とし、ＯＦＦ状態である場合を感光体ドラム上に形成されたトナー像が転写装置４３ａにおいて記録媒体Ｐに転写されていない状態とする。
【００６７】
また、制御部１１０は、本実施の形態を実現させるために、不揮発メモリ１２０から本実施の形態に係るページ番号設定プログラムとＲＡＭ１３０からジョブデータとを読み出して、当該プログラム及びデータとの協働により記録媒体に印字されるページ番号の設定を制御する。制御部１１０は、操作表示部３０又は操作装置１からページ番号が印字される指示が入力され、且つ、後処理の実行対象となる原稿ページの区分が入力され、更に原稿ページ全体を連続した通し番号としてページ番号を印字しない指示が入力された場合、原稿ページの区分毎にページ番号の開始番号を１に設定する番号設定制御手段としての機能を実現する。例えば、原稿ページの区分毎にページ番号の開始番号を１に設定する場合としては、ページ単位設定チェックボックスＧ２３ａがチェックされてページ別条件一覧エリアＧ２３ｃにおいてステイプル終了位置の指定があり、更にページ番号設定チェックボックスＧ３３ａがチェックされ、通し番号設定チェックボックスＧ３３ｄがチェックされていない場合である。
【００６８】
なお、制御部１１０は、操作表示部３０又は操作装置１からページ番号が印字される指示が入力され、且つ、冊子分割モードの指定が入力された場合、すなわち本実施の形態においては、ページ単位設定チェックボックスＧ２３ａのチェックがされた場合に、区分毎にページ番号の開始番号を１に設定するように制御しても良い。
【００６９】
また、制御部１１０は、ページ番号種設定釦Ｇ３３ｂによって、原稿ページの区分を識別する章番号（Ｎ１）及び原稿ページの各区分における記憶媒体のページ番号を識別する章ページ番号（Ｎ２）から成るページ番号の種類（Ｎ１−Ｎ２）が選択された場合、章番号Ｎ１を原稿ページの区分毎に設定し、章ページ番号Ｎ２を原稿ページの区分毎に開始が番号を１に設定された連続番号に設定する機能を実現する。
【００７０】
このように、原稿ページの区分を識別する章番号を印字できると共に、原稿ページの各区分における記録媒体のページ番号の開始番号を１から開始させることができるため、原稿ページの区分が明確となると共にページ番号が原稿全体として統一性を有することができる。
【００７１】
不揮発メモリ１２０は、画像形成に係る各種処理プログラム及びデータの他、本実施の形態に係るページ番号設定プログラム、画像が形成れた記録媒体Ｐに対する後処理をプリント部４０を介して後処理ユニット５０に対し設定するためのデータ及び各種プログラムで処理されたデータ等を記憶する。
【００７２】
ＲＡＭ１３０は、制御部１１０により実行される各種プログラム及びこれらプログラムに係るデータ、ジョブデータ等を一時的に記憶するワークエリアを形成する。
【００７３】
図８に、ジョブデータの一例を示す。
図８に示すように、ジョブデータ１３１は、各原稿ページ共通のデータ（ページ共通データ１３１ａ）と、原稿ページ毎のデータ（ページ別データ１３１ｂ）とから構成されている。
【００７４】
ページ共通データ１３１ａは、操作装置１や操作表示部３０から入力される指示信号に基づいて設定された各種設定条件や画像形成動作及び後処理動作の動作状態を示すデータを含む。
【００７５】
例えば、ページ共通データ１３１ａとしては、記録媒体Ｐの出力部数を示す設定部数Ｄ１、出力済みの部数がカウントされた値を示す出力済み部数Ｄ２、画像データを形成する面、即ち片面から両面印刷、両面から片面印刷等を示すコピーモードＤ３、設定された後処理の種類（ステイプルの有無やステイプル位置等）が示される後処理モードＤ４、ページ番号の印字の有無（即ち、ページ番号設定チェックボックスＧ３３ａがチェックされたか否か）を示すページ印字Ｄ５、ページ印字Ｄ５が有りの場合に設定されるページ番号の種類を示すページ番号種Ｄ５ａ及び通し番号設定チェックボックスＧ３３ｄがチェックされたか否かを示す（例えば、チェックされた場合は自動を示し、チェックされていない場合には１を示す。）開始番号Ｄ５ｂ、画像形成処理される原稿ページに対応する個別画像データの識別番号を示すプリントページ番号Ｄ６、原稿ページの各区分における記憶媒体のページ番号をカウントする区分ページカウンタＤ７、画像形成される原稿データは全原稿ページの何番目の区分であるかを示す章カウンタＤ８、読み取られた個別画像データの総数ｎを示す読取済画像枚数Ｄ９等である。
【００７６】
ページ別データには、読み込まれた各原稿ページに対応する個別画像データは、識別番号（例えば、ページ１、ページ２・・・）が付されて個別に記憶されており、各個別画像データは、当該個別画像データが格納されている画像メモリ１７０上のアドレスを示す画像格納アドレスＤ１１と、ページ別条件一覧エリアＧ２３ｃによって設定された各原稿ページ（即ち、各個別画像データ）に対する後処理（ここでは、ステイプルの有無）を示す後処理情報Ｄ１２及び各原稿ページ（即ち、各個別画像データ）に対する区分位置（ここでは、ステイプル終了位置の指定の有無）を示す区分情報Ｄ１３等から構成される。
【００７７】
読取処理部１４０は、画像読取部２０の読取制御部２００から入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００７８】
圧縮ＩＣ１５０は、入力されたデジタル画像データに圧縮処理を施してＤＲＡＭ制御ＩＣ１６０に出力する。
【００７９】
ＤＲＡＭ制御ＩＣ１６０は、制御部１１０からの指示に従って、圧縮ＩＣ１５０によるデジタル画像データの圧縮処理及び伸長ＩＣ１８０による圧縮画像データの伸長処理を制御するとともに、画像メモリ１７０への画像データの入出力制御を行う。例えば、画像読取部２０により読み取られたアナログ画像信号の保存が指示されると、読取処理部１４０から入力されたデジタル画像データの圧縮処理を圧縮ＩＣ１５０により実行させて、圧縮画像データを画像メモリ１７０の圧縮メモリ１７１に格納させる。また、圧縮メモリ１７１に格納された圧縮画像データのプリント出力が指示されると、圧縮メモリ１７１から圧縮画像データを読み出し、伸長ＩＣ１８０により伸長処理を施してページメモリ１７２に格納させる。さらに、ページメモリ１７２に格納された非圧縮画像データのプリント出力が指示されると、ページメモリ１７２から非圧縮画像データを読み出して書込処理部１９０に出力する。
【００８０】
画像メモリ１７０は、ＤＲＡＭ（Dynamic RAM）から構成される圧縮メモリ１７１とページメモリ１７２とを備える。圧縮メモリ１７１は、圧縮画像データを格納するためのメモリであり、ページメモリ１７２は、プリント出力前にプリント出力対象の非圧縮画像データを一時的に格納するためのメモリである。
【００８１】
伸長ＩＣ１８０は、入力される圧縮画像データに伸長処理を施す。
【００８２】
書込処理部１９０は、ＤＲＡＭ制御ＩＣ１６０から入力された非圧縮画像データに基づいて、画像形成のためのプリントデータを生成し、プリント部４０に出力する。
【００８３】
画像読取部２０は、ＣＣＤイメージセンサ２２ａ、画像読取制御部２００、その他ここでは図示しないが図６に示した自動原稿送り部２１、読取部２２等から構成される。画像読取制御部２００は、自動原稿送り部２１、読取部２２等を制御して、コンタクトガラスに載置された原稿面の露光走査を実行させ、光の反射光をＣＣＤイメージセンサ２２ａにより光電変換を行わせて画像を読み取る。読み取られたアナログ画像信号は本体制御部１００の読取処理部１４０に出力される。
【００８４】
操作表示部３０は、ＬＣＤ（Liquid Crystal Display）３１、操作表示制御部３００、その他図示しない操作キー群から構成される。ＬＣＤ３１上には、ＬＣＤ３１を覆うようにタッチパネルが設けられており、操作表示制御部３００は、制御部１１０から入力される表示信号に従って、各種設定条件を入力するための各種設定画面や各種処理結果等をＬＣＤ３１に表示させる。また、操作表示制御部３００は、操作キー群又はタッチパネルから入力される操作信号を制御部１１０に出力する。
【００８５】
また、操作表示部３０は、ＬＣＤ３１上に図３に示すような各種設定画面と略同様な内容を含む画面を表示させることにより、後処理の実行対象となる原稿ページの区分の指定を受け付ける後処理区分設定入力手段と、ページ番号を原稿ページの区分毎に開始番号を１に設定された連続番号とするか否かの設定指示を受け付ける開始番号選択入力手と、ページ番号の種類の選択指示を受け付けるページ番号種類選択手段としての機能を実現する。
【００８６】
プリント部４０は、図６に示した画像形成部４３等のプリント出力に係る各部やプリント制御部４００を備えて構成される。プリント制御部４００は、制御部１１０からの指示に従って画像形成部４３等のプリント部４０の各部の動作を制御し、書込処理部１９０から入力されたプリントデータに基づいて記録媒体Ｐに画像形成を行わせると共に、制御部１１０からの指示に従って後処理ユニット５０の各部を動作させる指示信号を後処理制御部５００に出力する。
【００８７】
次に、プリントコントローラ２ｂの各部について説明する。プリントコントローラ２ｂは、画像形成装置２をネットワークプリンタとして使用する場合に、ネットワークＮに接続される操作装置１から画像形成装置２に入力されるプリントジョブの管理及び制御を行うものであり、操作装置２から印刷対象のデータを受信し、画像形成装置２の動作状態に応じて当該データをプリントジョブとして割り振る機能を有する。
【００８８】
プリンタコントローラ２ｂは、コントローラ制御部２１ｂ、ＤＲＡＭ制御ＩＣ２２ｂ、画像メモリ２３ｂ、ＬＡＮＩＦ２４ｂから構成される。
【００８９】
コントローラ制御部２１ｂは、プリントコントローラ２ｂ各部の動作を統括的に制御し、ＬＡＮＩＦ２４ｂを介して、操作装置１から入力されるデータを画像形成装置２の動作状態に応じてジョブとして本体部２ａへ配信する機能を実現する。
【００９０】
ＤＲＡＭ制御ＩＣ２２ｂは、ＬＡＮＩＦ２４ｂにより受信されたデータの画像メモリ２３ｂへの格納や、画像メモリ２３ｂからのデータの読み出しを制御する。また、ＤＲＡＭ制御ＩＣ２２ｂは、本体制御部１００のＤＲＡＭ制御ＩＣ１６０とＰＣＩ（Peripheral Components Interconnect）バスで接続されており、コントローラ制御部２１ｂからの指示に従って、プリント対象のデータを画像メモリ２３ｂから読み出してＤＲＡＭ制御ＩＣ１６０に出力する。
【００９１】
画像メモリ２３ｂは、ＤＲＡＭから構成され、入力された出力データを一時的に格納する。
【００９２】
ＬＡＮＩＦ２４ｂは、ＮＩＣ（Network Interface Card）やモデム等のＬＡＮ等のネットワークＮに接続するための通信インターフェイスであり、操作装置１からデータを受信する。受信されたデータは、ＤＲＡＭ制御ＩＣ２２ｂに出力される。
【００９３】
後処理ユニット５０は、ソートユニット、パンチユニット、ステイプルユニット、折りユニット、断裁ユニット等と、各種後処理ユニットへ記録媒体を搬送する搬送ローラ等の搬送手段が設けられており、各処理ユニットは後処理制御部５００により統括的に制御されている。後処理制御部５００は、制御部１１０からプリント制御部４００を介して入力される後処理の指示信号に応じて、記録媒体Ｐを搬送経路に沿って所定の処理ユニットに搬送し、各部を駆動制御して記録媒体Ｐに所定の後処理を行わせ、所定の排出トレイに排出する制御を行う。
【００９４】
次に、本実施の形態の動作を説明する。
図９〜１１に、本実施の形態におけるページ番号設定処理のフローチャートを示す。図９〜１１に示すフローチャートは、制御部１１０において実行される処理である。
【００９５】
図９に示すフローチャートは、印刷処理開始時に実行される処理である。
制御部１１０は、まず、印刷処理開始前に、操作装置１又は操作表示部３０によって設定された各種設定条件及び画像データが入力された場合、入力された各種設定条件及び画像データをジョブデータとしてＲＡＭ１３０に記憶すると共に、ジョブデータを参照して、後処理モードＤ４及びページ印字Ｄ５が共に設定されているか否か（ステイプル及びページ印字の設定が有るか否か）を判別する（ステップＳ１）。
【００９６】
制御部１１０は、後処理モードＤ４及びページ印字Ｄ５が共に設定されていないと判別した場合（ステップＳ１；Ｎｏ）、後処理モードＤ４及びページ印字Ｄ５が設定されていない他の処理、例えば、ページ印字無し等に対応した各種処理を実行する（ステップＳ２）。
【００９７】
制御部１１０は、後処理モードＤ４及びページ印字Ｄ５が共に設定されていると判別した場合（ステップＳ１；Ｙｅｓ）、ジョブデータのプリントページ番号Ｄ６、区分ページカウンタＤ７、章カウンタＤ８を初期化（「１」に設定）する（ステップＳ３）。
【００９８】
ステップＳ３後、制御部１１０は、記録媒体に形成されるプリントデータを生成するプリントページ設定処理を実行する（ステップＳ４）。
【００９９】
制御部１１０は、プリントページの設定処理後（ステップＳ４後）、印刷開始信号と共にジョブデータのコピーモードＤ３及び後処理モードＤ４をプリント制御部４００及び後処理制御部５００に送信する（ステップＳ５）。
【０１００】
制御部１１０は、ステップＳ５後、印刷処理開始時に実行される処理を終了する。
【０１０１】
図１０に、図９のステップＳ４に実行されるプリントページ設定処理のフローチャートを示す。プリントページ設定処理とは、各原稿ページに対応する個別画像データを設定されたジョブデータに応じて調整して記録媒体上に形成されるプリントページデータを生成し設定する処理である。
【０１０２】
制御部１１０は、ジョブデータを参照して、後処理モードＤ４及びページ印字Ｄ５が共に設定されているか否か（ステイプル及びページ印字の設定が有るか否か）を判別し（ステップＳ１１）、後処理モードＤ４及びページ印字Ｄ５が共に設定されていないと判別した場合（ステップＳ１１；Ｎｏ）、後処理モードＤ４及びページ印字Ｄ５が設定されていない他の処理を実行する（ステップＳ１２）。
【０１０３】
制御部１１０は、後処理モードＤ４及びページ印字Ｄ５が共に設定されていると判別した場合（ステップＳ１１；Ｙｅｓ）、ジョブデータを参照し（ステップＳ１３）、プリントページ番号Ｄ６が示す原稿ページの識別番号に対応する画像格納アドレスＤ１１に格納されている個別画像データをページメモリ１７２に展開する（ステップＳ１４）。
【０１０４】
制御部１１０は、個別画像データをページメモリ１７２に展開した後、区分ページカウンタＤ７、章カウンタＤ８、ページ番号種Ｄ５ａを参照し、所定の印字フォントを用いてページ番号印字データを生成する（ステップＳ１５）。
【０１０５】
制御部１１０は、ページ番号印字データを生成した後（ステップＳ１５後）、生成されたページ番号印字データをページメモリ１７２に展開されている個別画像データに書き加え、プリントページデータとして設定し（ステップＳ１６）、プリントページ設定処理を終了する。
【０１０６】
図１１に、印刷処理開始後、画像書込信号ＰＶＶがＯＮ状態からＯＦＦ状態に切り替わった際に実行される処理のフローチャートを示す。
【０１０７】
制御部１１０は、まず、画像書込信号ＰＶＶがＯＮ状態からＯＦＦ状態に切り替わったか否かを判別し（ステップＳ２１）、画像書込信号ＰＶＶがＯＦＦ状態に切り替わっていないと判別した場合（ステップＳ２１；Ｎｏ）、切り替わるまで待機する。
【０１０８】
制御部１１０は、画像書込信号ＰＶＶがＯＮ状態からＯＦＦ状態に切り替わったと判別した場合（ステップＳ２１；Ｙｅｓ）、ジョブデータを参照して、後処理モードＤ４及びページ印字Ｄ５が共に設定されているか否か（ステイプル及びページ印字の設定が有るか否か）を判別し（ステップＳ２２）、後処理モードＤ４及びページ印字Ｄ５が共に設定されていないと判別した場合（ステップＳ２２；Ｎｏ）、後処理モードＤ４及びページ印字Ｄ５が設定されていない他の処理を実行する（ステップＳ２３）。
【０１０９】
制御部１１０は、後処理モードＤ４及びページ印字Ｄ５が共に設定されていると判別した場合（ステップＳ２２；Ｙｅｓ）、プリントページ番号Ｄ６に１を加算する（ステップＳ２４）。
【０１１０】
制御部１１０は、プリントページ番号Ｄ６に１を加算する直前のプリントページ番号Ｄ６が示す原稿ページの識別番号に対応する後処理情報Ｄ１２は後処理有り（ステイプル有り）であるか否かを判別する（ステップＳ２５）。
【０１１１】
制御部１１０は、プリントページ番号Ｄ６に１を加算する直前のプリントページ番号Ｄ６が示す原稿ページの識別番号に対応する後処理情報Ｄ１２は後処理無し（ステイプル無し）であると判別した場合（ステップＳ２５；Ｎｏ）、ステップＳ２４において１が加算されたプリントページ番号Ｄ６が示す原稿ページの識別番号に対応する後処理情報Ｄ１２は後処理有り（ステイプル有り）であるか否かを判別する（ステップＳ２６）。
【０１１２】
制御部１１０は、プリントページ番号Ｄ６が示す原稿ページの識別番号に対応する後処理情報Ｄ１２は後処理無し（ステイプル無し）であると判別した場合（ステップＳ２６；Ｎｏ）、区分ページカウンタＤ７に１を加算し（ステップＳ２７）、ステップＳ３２に進む。
【０１１３】
制御部１１０は、プリントページ番号Ｄ６が示す原稿ページの識別番号に対応する後処理情報Ｄ１２は後処理有り（ステイプル有り）であると判別した場合（ステップＳ２６；Ｙｅｓ）、ステップＳ２９に進む。
【０１１４】
制御部１１０は、プリントページ番号Ｄ６に１を加算する直前のプリントページ番号Ｄ６が示す原稿ページの識別番号に対応する後処理情報Ｄ１２は後処理有り（ステイプル有り）であると判別した場合（ステップＳ２５；Ｙｅｓ）、プリントページ番号Ｄ６に１を加算する直前のプリントページ番号Ｄ６が示す原稿ページの識別番号に対応する区分情報Ｄ１３は有りか否かを判別する（ステップＳ２８）。
【０１１５】
制御部１１０は、プリントページ番号Ｄ６に１を加算する直前のプリントページ番号Ｄ６が示す原稿ページの識別番号に対応する区分情報Ｄ１３は無しと判別した場合（ステップＳ２８；Ｎｏ）、ステップＳ２７に進む。
【０１１６】
制御部１１０は、プリントページ番号Ｄ６に１を加算する直前のプリントページ番号Ｄ６が示す原稿ページの識別番号に対応する区分情報Ｄ１３は有りと判別した場合（ステップＳ２８；Ｙｅｓ）、通し番号設定チェックボックスＧ３３ｄがチェックされているか否か、即ち、原稿ページ全体を連続した通し番号としてページ番号を印字するか否かを判別する（ステップＳ２９）。
【０１１７】
制御部１１０は、通し番号設定チェックボックスＧ３３ｄがチェックされていると判別した場合、即ち、ページ番号を原稿ページ全体としての通し番号として印字すると判別した場合（ステップＳ２９；全体）、ステップＳ２７に進む。
【０１１８】
制御部１１０は、通し番号設定チェックボックスＧ３３ｄがチェックされていないと判別した場合、即ち、ページ番号を原稿ページの区分毎に連続した通し番号として印字すると判別した場合（ステップＳ２９；区分）、区分ページカウンタＤ７を初期化（「１」に設定）し（ステップＳ３０）、章カウンタＤ８に１を加算する（ステップＳ３１）。
【０１１９】
制御部１１０は、ステップＳ２又はステップＳ３１後、前述したプリントページ設定処理を実行する（ステップＳ３２）。
【０１２０】
制御部１１０は、プリントページの設定処理後（ステップＳ３２後）、画像読取信号ＳＶＶがＯＮ状態からＯＦＦ状態に切り替わった際に実行される処理を終了する。
【０１２１】
図１２に、本実施の形態において実行された印刷処理のイメージ図を示し、図１３に、図１２の印刷処理を実現する画像形成装置２の動作のタイムチャート例を示す。
【０１２２】
図１２及び図１３は、図３〜５に示す各種設定画面において、ステイプルチェックボックスＧ１３ａがチェックされて左上の１ヶ所にステイプル処理が施され、ページ単位設定チェックボックスＧ２３ａがチェックされ、ページ別条件一覧エリアＧ２３ｃに示された各種設定条件で各原稿ページが処理されると共に、ページ番号設定チェックボックスＧ３３ａがチェックされ、ページ番号種Ｇ３３ｂがＮ１−Ｎ２、通し番号設定チェックボックスＧ３３ｄがチェックされていない場合における印刷処理の例である。
【０１２３】
図１２（ａ）には、操作装置１においてアプリケーションソフトで作成された複数の原稿ページに対応する複数の個別画像データから成る画像データを示し、図１２（ｂ）には、画像形成装置２において記録媒体上に形成される複数のプリントページデータから成るプリントデータを示し、図１２（ｃ）には、画像形成装置２から排出される後処理後の記録媒体の束のイメージを示す。
【０１２４】
図１２（ａ）に示す操作装置１において作成された画像データは、各原稿ページに対応する個別画像データＩ１〜Ｉ６から成り、操作装置１から画像形成装置２に当該画像データが送信された際、各個別画像データを識別する識別番号（例えば、ページ１、ページ２・・・・）が個別画像データＩ１からＩ６に向かって順番に付加されジョブデータとして記憶される。
【０１２５】
図１２（ｂ）に示すプリントデータは、各個別画像データにページ番号印字データが書き加えられた複数のプリントページデータＰｄ１〜Ｐｄ６から成る。例えば、プリントページデータＰｄ１は、個別画像データＩ１にページ番号印字データＰｎ１が書き加えられたデータとして生成される。
【０１２６】
図１２（ｂ）に示すページ番号印字データとしては、個別画像データＰｄ３及びＰｄ６をステイプル終了位置とし、ページ番号種として、原稿ページの区分を識別する章番号（Ｎ１）及び原稿ページの各区分における記憶媒体のページ番号を識別する章ページ番号（Ｎ２）を示すＮ１−Ｎ２を設定した場合に印字される例を示す。本発明を適用することにより、区分毎に共通の章番号Ｎ１が印字され、区分毎に開始番号が１に設定された連続番号の章ページ番号Ｎ２が印字される。
【０１２７】
図１２（ｃ）に示す記録媒体の束のイメージは、プリントページデータＰｄ１〜Ｐｄ３までが１つの記録媒体の束としてステイプル処理され、プリントページデータＰｄ４〜Ｐｄ６までが１つの記録媒体の束としてステイプル処理されたイメージ図である。
【０１２８】
次に、図１３に示す画像形成装置２の動作のタイムチャート例について説明する。
第１給紙準備信号は、設定されたプリントページデータの情報、例えば、ステイプルの有無や区分の有無等を含むデータであり、制御部１１０からプリント制御部４００及びプリント制御部４００を介して後処理制御部５００に出力される。第１給紙信号は、記録媒体Ｐを給紙カセット４１ａからレジストローラ４２ａまで搬送させる動作信号であり、ＯＮ状態であるとき搬送動作中を示し、第１給紙準備信号に応じてプリント制御部４００から制御部１１０に出力される。
【０１２９】
第２給紙準備信号は、プリントページデータの書込み動作の可否を示す信号であり、ＯＮ状態であるとき次に書き込まれる画像の書込み準備完了状態を示し、ＯＦＦ状態であるとき書込み準備中の状態を示し、制御部１１０からプリント制御部４００に出力される。第２給紙信号は、記録媒体をレジストローラ４２ａから転写装置４３ａまで搬送させる動作信号であり、ＯＮ状態であるとき搬送動作中を示し、第２給紙準備信号に応じてプリント制御部４００から制御部１１０に出力される。
【０１３０】
排紙信号は、画像が形成された記録媒体をプリント部４０から後処理ユニット５０に排出させる動作信号であり、ＯＮ状態であるとき排出動作中を示し、プリント制御部４００から後処理制御部５００に出力される。区分信号は、排出動作中に記録媒体に形成された画像が、区分有りを示すプリントページデータであるか否かを示す信号であり、ＯＮ状態であるとき区分有りを示し、プリント制御部４００から後処理制御部５００に出力される。
【０１３１】
まず、時刻ｔ０のとき、図９及び８に示した動作が実行されることにより、印刷処理開始前に、操作装置１又は操作表示部３０によって設定された各種設定条件及び画像データをジョブデータとしてＲＡＭ１３０に記憶すると共に、ジョブデータを参照して、後処理モードＤ４及びページ印字Ｄ５が共に設定されているか否か（ステイプル及びページ印字の設定が有るか否か）を判別し、ジョブデータのプリントページ番号Ｄ６、区分ページカウンタＤ７、章カウンタＤ８を初期化（「１」に設定）し、プリントページ番号Ｄ６に対応する個別画像データに、区分ページカウンタ（Ｄ７＝１）及び章カウンタ（Ｄ８＝１）に基づくページ番号印字データＰｎ１を書き加えたプリントページデータＰｄ１が生成され設定されると共に、印刷開始信号と共にジョブデータのコピーモードＤ３及び後処理モードＤ４がプリント制御部４００及び後処理制御部５００に送信される。
【０１３２】
時刻ｔ０〜ｔ１のとき、記録媒体が給紙カセット４１ａからレジストローラ４２ａに搬送され、更に、第２給紙準備信号に同期して画像書込信号ＰＶＶがＯＮ状態となり、設定されたプリントページデータＰｄ１が記録媒体上に画像として形成される。
【０１３３】
時刻ｔ１のとき、画像書込信号ＰＶＶがＯＮ状態からＯＦＦ状態に切り替わると、図１０及び９に示した動作が実行されることにより、プリントページ番号Ｄ６に１が加算され（Ｄ６＝２となる。）、１が加算される前のプリントページ番号（Ｄ６＝１）に対応する個別画像データはステイプル有りかつ区分無しであるため、区分ページカウンタＤ７に１が加算され（Ｄ７＝２となる。）、プリントページ番号Ｄ６に対応する個別画像データに、区分ページカウンタ（Ｄ７＝２）及び章カウンタ（Ｄ８＝１）に基づくページ番号印字データＰｎ２が書き加えられたプリントページデータＰｄ２が生成され、設定される。
【０１３４】
時刻ｔ１〜ｔ２のとき、記録媒体が給紙カセット４１ａからレジストローラ４２ａに搬送され、更に、第２給紙準備信号に同期して画像書込信号ＰＶＶがＯＮ状態となり、設定されたプリントページデータＰｄ２が記録媒体上に画像として形成される。
【０１３５】
時刻ｔ２のとき、画像書込信号ＰＶＶがＯＮ状態からＯＦＦ状態に切り替わると、図１０及び９に示した動作が実行されることにより、プリントページ番号Ｄ６に１が加算され（Ｄ６＝３となる。）、１が加算される前のプリントページ番号（Ｄ６＝２）に対応する個別画像データはステイプル有りかつ区分無しであるため、区分ページカウンタＤ７に１が加算され（Ｄ７＝３となる。）、プリントページ番号Ｄ６に対応する個別画像データに、区分ページカウンタ（Ｄ７＝３）及び章カウンタ（Ｄ８＝１）に基づくページ番号印字データＰｎ３が書き加えられたプリントページデータＰｄ３が生成され、設定される。
また、時刻ｔ２において、プリントページデータＰｄ１が画像として形成された記録媒体が後処理ユニット５０に排出される。
【０１３６】
時刻ｔ２〜ｔ３のとき、記録媒体が給紙カセット４１ａからレジストローラ４２ａに搬送され、更に、第２給紙準備信号に同期して画像書込信号ＰＶＶがＯＮ状態となり、設定されたプリントページデータＰｄ３が記録媒体上に画像として形成される。
【０１３７】
時刻ｔ３のとき、画像書込信号ＰＶＶがＯＮ状態からＯＦＦ状態に切り替わると、図１０及び９に示した動作が実行されることにより、プリントページ番号Ｄ６に１が加算され（Ｄ６＝４となる。）、１が加算される前のプリントページ番号（Ｄ６＝３）に対応する個別画像データはステイプル有りかつ区分有りであり、更に、通し番号設定チェックボックスＧ３３ｄがチェックされていないことにより、ページ番号を原稿ページの区分毎の通し番号として印字するよう設定されているため、区分ページカウンタＤ７が初期化され（Ｄ７＝１となる。）、章カウンタＤ８に１が加算され（Ｄ８＝２となる。）、プリントページ番号Ｄ６に対応する個別画像データに、区分ページカウンタ（Ｄ７＝１）及び章カウンタ（Ｄ８＝２）に基づくページ番号印字データＰｎ４が書き加えられたプリントページデータＰｄ４が生成され、設定される。
また、時刻ｔ３において、プリントページデータＰｄ２が画像として形成された記録媒体が後処理ユニット５０に排出される。
【０１３８】
時刻ｔ３〜ｔ４のとき、記録媒体が給紙カセット４１ａからレジストローラ４２ａに搬送され、更に、第２給紙準備信号に同期して画像書込信号ＰＶＶがＯＮ状態となり、設定されたプリントページデータＰｄ４が記録媒体上に画像として形成される。
【０１３９】
時刻ｔ４のとき、画像書込信号ＰＶＶがＯＮ状態からＯＦＦ状態に切り替わると、図１０及び９に示した動作が実行されることにより、プリントページ番号Ｄ６に１が加算され（Ｄ６＝５となる。）、１が加算される前のプリントページ番号（Ｄ６＝４）に対応する個別画像データはステイプル有りかつ区分無しであるため、区分ページカウンタＤ７に１が加算され（Ｄ７＝２となる。）、プリントページ番号Ｄ６に対応する個別画像データに、区分ページカウンタ（Ｄ７＝２）及び章カウンタ（Ｄ８＝２）に基づくページ番号印字データＰｎ５が書き加えられたプリントページデータＰｄ５が生成され、設定される。
【０１４０】
また、時刻ｔ４において、プリントページデータＰｄ３が画像として形成された記録媒体が後処理ユニット５０に排出されると共に、区分信号がＯＮ状態となるため、時刻ｔ０〜ｔ４において後処理ユニット５０に排出された記録媒体に対してステイプル処理が施される。
【０１４１】
時刻ｔ４〜ｔ５のとき、記録媒体が給紙カセット４１ａからレジストローラ４２ａに搬送され、更に、第２給紙準備信号に同期して画像書込信号ＰＶＶがＯＮ状態となり、設定されたプリントページデータＰｄ５が記録媒体上に画像として形成される。
【０１４２】
時刻ｔ５のとき、画像書込信号ＰＶＶがＯＮ状態からＯＦＦ状態に切り替わると、図１０及び９に示した動作が実行されることにより、プリントページ番号Ｄ６に１が加算され（Ｄ６＝６となる。）、１が加算される前のプリントページ番号（Ｄ６＝５）に対応する個別画像データはステイプル有りかつ区分無しであるため、区分ページカウンタＤ７に１が加算され（Ｄ７＝３となる。）、プリントページ番号Ｄ６に対応する個別画像データに、区分ページカウンタ（Ｄ７＝３）及び章カウンタ（Ｄ８＝２）に基づくページ番号印字データＰｎ６が書き加えられたプリントページデータＰｄ５が生成され、設定される。
また、時刻ｔ５において、プリントページデータＰｄ４が画像として形成された記録媒体が後処理ユニット５０に排出される。
【０１４３】
時刻ｔ５〜ｔ６のとき、記録媒体が給紙カセット４１ａからレジストローラ４２ａに搬送され、更に、第２給紙準備信号に同期して画像書込信号ＰＶＶがＯＮ状態となり、設定されたプリントページデータＰｄ６が記録媒体上に画像として形成される。
【０１４４】
時刻ｔ６において、プリントページデータＰｄ５が画像として形成された記録媒体が後処理ユニット５０に排出される。
【０１４５】
そして、時刻ｔ７において、プリントページデータＰｄ６が画像として形成された記録媒体が後処理ユニット５０に排出されると共に、区分信号がＯＮ状態となるため、時刻ｔ４〜ｔ７において後処理ユニット５０に排出された記録媒体に対してステイプル処理が施され、印刷処理が終了される。
【０１４６】
図１４〜１６を参照して、本発明を適用した他の例について説明する。
図１４に、ページ単位設定画面Ｇ２０ｂを示し、図１５に、本実施の形態において実行された印刷処理のイメージ図を示し、図１６に、図１５の印刷処理を実現する画像形成装置２の動作のタイムチャート例を示す。
【０１４７】
図１４に示すページ単位設定画面Ｇ２０ｂは、図４に示すページ設定画面Ｇ２０ａのページ別条件一覧エリアＧ２３ｃがページ別条件一覧エリアＧ２３ｄとなる以外は同様であるため、同様の部分は同様の符号を付して説明を省略し、異なる部分のみ説明する。
【０１４８】
図１４に示すページ別条件一覧エリアＧ２３ｄは、６枚の原稿ページについて、それぞれ各条件について個別に設定されている。例えば、識別番号が１の原稿ページは、ステイプル無し、ステイプルの終了位置の指定なしと設定されており、識別番号が２〜５の原稿ページは、ステイプルが１ヶ所、ステイプルの終了位置の指定なしと設定されており、識別番号が６の原稿ページは、ステイプルが１ヶ所、ステイプルの終了位置の指定ありと設定されている。従って、識別番号が１の原稿ページの画像が形成された記録媒体と、識別番号が２〜６の原稿ページの画像が形成されステイプル処理された記録媒体の束とが形成され排出されることとなる。
【０１４９】
図１５及び図１６は、図３及び５と図１４に示す各種設定画面において、ステイプルチェックボックスＧ１３ａがチェックされて左上の１ヶ所にステイプル処理が施され、ページ単位設定チェックボックスＧ２３ａがチェックされ、ページ別条件一覧エリアＧ２３ｃに示された各種設定条件で各原稿ページが処理されると共に、ページ番号設定チェックボックスＧ３３ａがチェックされ、ページ番号種Ｆ３３ｂがＮ１−Ｎ２、通し番号設定チェックボックスＧ３３ｄがチェックされていない場合における印刷処理の例である。
【０１５０】
図１５（ａ）には、操作装置１においてアプリケーションソフトで作成された複数の原稿ページに対応する複数の個別画像データから成る画像データを示し、図１５（ｂ）には、画像形成装置２において記録媒体上に形成される複数のプリントページデータから成るプリントデータを示し、図１５（ｃ）には、画像形成装置２から排出される後処理後の記録媒体及び記録媒体の束のイメージを示す。
【０１５１】
図１５（ａ）に示す操作装置１において作成された画像データは、各原稿ページに対応する個別画像データＩ１１〜Ｉ１６から成り、操作装置１から像形成装置２に当該画像データが送信された際、各個別画像データを識別する識別番号（例えば、ページ１１、ページ１２・・・・）が個別画像データＩ１１からＩ１６に向かって順番に付加されジョブデータとして記憶される。
【０１５２】
図１５（ｂ）に示すプリントデータは、各個別画像データにページ番号印字データが書き加えられた複数のプリントページデータＰｄ１１〜Ｐｄ１６から成る。例えば、プリントページデータＰｄ１１は、個別画像データＩ１１にページ番号印字データＰｎ１１が書き加えられたデータとして生成される。
【０１５３】
図１５（ｂ）に示すページ番号印字データとしては、個別画像データＰｄ６をステイプル終了位置とし、ページ番号種として、原稿ページの区分を識別する章番号（Ｎ１）及び原稿ページの各区分における記憶媒体のページ番号を識別する章ページ番号（Ｎ２）を示すＮ１−Ｎ２を設定した場合に印字される例を示す。本発明を適用することにより、区分毎に共通の章番号Ｎ１が印字され、区分毎に開始番号が１に設定された連続番号の章ページ番号Ｎ２が印字される。
【０１５４】
図１５（ｃ）に示す記録媒体の束のイメージは、プリントページデータＰｄ１１が形成された記録媒体と、プリントページデータＰｄ２〜Ｐｄ６までが１つの記録媒体の束としてステイプル処理されたイメージ図である。
【０１５５】
次に、図１６に示す画像形成装置２の動作のタイムチャート例について説明する。
各種信号は、図１３に示すタイムチャートと同様であるため説明は省略する。
【０１５６】
まず、時刻ｔ１０のとき、図９及び１０に示した動作が実行されることにより、印刷処理開始前に、操作装置１又は操作表示部３０によって設定された各種設定条件及び画像データをジョブデータとしてＲＡＭ１３０に記憶すると共に、ジョブデータを参照して、後処理モードＤ４及びページ印字Ｄ５が共に設定されているか否か（ステイプル及びページ印字の設定が有るか否か）を判別し、ジョブデータのプリントページ番号Ｄ６、区分ページカウンタＤ７、章カウンタＤ８を初期化（「１」に設定）し、プリントページ番号Ｄ６に対応する個別画像データに、区分ページカウンタ（Ｄ７＝１）及び章カウンタ（Ｄ８＝１）に基づくページ番号印字データＰｎ１を書き加えたプリントページデータＰｄ１１が生成され設定されると共に、印刷開始信号と共にジョブデータのコピーモードＤ３及び後処理モードＤ４がプリント制御部４００及び後処理制御部５００に送信される。
【０１５７】
時刻ｔ１０〜ｔ１１のとき、記録媒体が給紙カセット４１ａからレジストローラ４２ａに搬送され、更に、第２給紙準備信号に同期して画像書込信号ＰＶＶがＯＮ状態となり、設定されたプリントページデータＰｄ１１が記録媒体上に画像として形成される。
【０１５８】
時刻ｔ１１のとき、画像書込信号ＰＶＶがＯＮ状態からＯＦＦ状態に切り替わると、図１０及び１１に示した動作が実行されることにより、プリントページ番号Ｄ６に１が加算され（Ｄ６＝２となる。）、１が加算される前のプリントページ番号（Ｄ６＝１）に対応する個別画像データはステイプル無しかつ当該プリントページ番号（Ｄ６＝２）はステイプル有り、更に、通し番号設定チェックボックスＧ３３ｄがチェックされていないことにより、ページ番号を原稿ページの区分毎の通し番号として印字するよう設定されているため、区分ページカウンタＤ７が初期化され（Ｄ７＝１となる。）、章カウンタＤ８に１が加算され（Ｄ８＝２となる。）、プリントページ番号Ｄ６に対応する個別画像データに、区分ページカウンタ（Ｄ７＝１）及び章カウンタ（Ｄ８＝２）に基づくページ番号印字データＰｎ１２が書き加えられたプリントページデータＰｄ１２が生成され、設定される。
【０１５９】
時刻ｔ１１〜ｔ１２のとき、記録媒体が給紙カセット４１ａからレジストローラ４２ａに搬送され、更に、第２給紙準備信号に同期して画像書込信号ＰＶＶがＯＮ状態となり、設定されたプリントページデータＰｄ１２が記録媒体上に画像として形成される。
【０１６０】
時刻ｔ１２のとき、画像書込信号ＰＶＶがＯＮ状態からＯＦＦ状態に切り替わると、図１０及び１１に示した動作が実行されることにより、プリントページ番号Ｄ６に１が加算され（Ｄ６＝３となる。）、１が加算される前のプリントページ番号（Ｄ６＝２）に対応する個別画像データはステイプル有りかつ区分無しであるため、区分ページカウンタＤ７に１が加算され（Ｄ７＝２となる。）、プリントページ番号Ｄ６に対応する個別画像データに、区分ページカウンタ（Ｄ７＝２）及び章カウンタ（Ｄ８＝２）に基づくページ番号印字データＰｎ１３が書き加えられたプリントページデータＰｄ１３が生成され、設定される。また、時刻ｔ１２において、プリントページデータＰｄ１１が画像として形成された記録媒体が排出される。
【０１６１】
時刻ｔ１２〜ｔ１３のとき、記録媒体が給紙カセット４１ａからレジストローラ４２ａに搬送され、更に、第２給紙準備信号に同期して画像書込信号ＰＶＶがＯＮ状態となり、設定されたプリントページデータＰｄ１３が記録媒体上に画像として形成される。
【０１６２】
時刻ｔ１３のとき、画像書込信号ＰＶＶがＯＮ状態からＯＦＦ状態に切り替わると、図１０及び１１に示した動作が実行されることにより、プリントページ番号Ｄ６に１が加算され（Ｄ６＝４となる。）、１が加算される前のプリントページ番号（Ｄ６＝３）に対応する個別画像データはステイプル有りかつ区分無しであるため、区分ページカウンタＤ７に１が加算され（Ｄ７＝３となる。）、プリントページ番号Ｄ６に対応する個別画像データに、区分ページカウンタ（Ｄ７＝３）及び章カウンタ（Ｄ８＝２）に基づくページ番号印字データＰｎ１４が書き加えられたプリントページデータＰｄ１４が生成され、設定される。また、時刻ｔ１３において、プリントページデータＰｄ１２が画像として形成された記録媒体が後処理ユニット５０に排出される。
【０１６３】
時刻ｔ１３〜ｔ１４のとき、記録媒体が給紙カセット４１ａからレジストローラ４２ａに搬送され、更に、第２給紙準備信号に同期して画像書込信号ＰＶＶがＯＮ状態となり、設定されたプリントページデータＰｄ１４が記録媒体上に画像として形成される。
【０１６４】
時刻ｔ１４のとき、画像書込信号ＰＶＶがＯＮ状態からＯＦＦ状態に切り替わると、図１０及び１１に示した動作が実行されることにより、プリントページ番号Ｄ６に１が加算され（Ｄ６＝５となる。）、１が加算される前のプリントページ番号（Ｄ６＝４）に対応する個別画像データはステイプル有りかつ区分無しであるため、区分ページカウンタＤ７に１が加算され（Ｄ７＝４となる。）、プリントページ番号Ｄ６に対応する個別画像データに、区分ページカウンタ（Ｄ７＝４）及び章カウンタ（Ｄ８＝２）に基づくページ番号印字データＰｎ１５が書き加えられたプリントページデータＰｄ１５が生成され、設定される。また、時刻ｔ１４において、プリントページデータＰｄ１３が画像として形成された記録媒体が後処理ユニット５０に排出される。
【０１６５】
時刻ｔ１４〜ｔ１５のとき、記録媒体が給紙カセット４１ａからレジストローラ４２ａに搬送され、更に、第２給紙準備信号に同期して画像書込信号ＰＶＶがＯＮ状態となり、設定されたプリントページデータＰｄ１５が記録媒体上に画像として形成される。
【０１６６】
時刻ｔ１５のとき、画像書込信号ＰＶＶがＯＮ状態からＯＦＦ状態に切り替わると、図１０及び１１に示した動作が実行されることにより、プリントページ番号Ｄ６に１が加算され（Ｄ６＝６となる。）、１が加算される前のプリントページ番号（Ｄ６＝５）に対応する個別画像データはステイプル有りかつ区分無しであるため、区分ページカウンタＤ７に１が加算され（Ｄ７＝５となる。）、プリントページ番号Ｄ６に対応する個別画像データに、区分ページカウンタ（Ｄ７＝５）及び章カウンタ（Ｄ８＝２）に基づくページ番号印字データＰｎ１６が書き加えられたプリントページデータＰｄ１６が生成され、設定される。また、時刻ｔ１５において、プリントページデータＰｄ１４が画像として形成された記録媒体が後処理ユニット５０に排出される。
【０１６７】
時刻ｔ１５〜ｔ１６のとき、記録媒体が給紙カセット４１ａからレジストローラ４２ａに搬送され、更に、第２給紙準備信号に同期して画像書込信号ＰＶＶがＯＮ状態となり、設定されたプリントページデータＰｄ１６が記録媒体上に画像として形成される。
【０１６８】
時刻ｔ１６において、プリントページデータＰｄ１５が画像として形成された記録媒体が後処理ユニット５０に排出される。
【０１６９】
そして、時刻ｔ１７において、プリントページデータＰｄ１６が画像として形成された記録媒体が後処理ユニット５０に排出されると共に、区分信号がＯＮ状態となるため、時刻ｔ１３〜ｔ１７において後処理ユニット５０に排出された記録媒体に対してステイプル処理が施され、印刷処理が終了される。
【０１７０】
以上のように、本発明によれば、ユーザの操作無しに後処理が実行される原稿ページの区分毎の開始番号を１から始まるページ番号を印字させることができるため、例えば、後処理として、ステイプル処理が施される記録媒体の束に印字されるページ番号は、必ず１から開始されるため、記録媒体の束毎に開始番号が１に設定された連続番号のページ番号を印字させることができると共に、ユーザに対して後処理が実行される原稿ページの区分毎に個別にページ番号の開始番号を設定する手間を省くことができるため、ユーザに対する使い勝手を向上させることができる。
また、記録媒体に印字されるページ番号を、原稿ページの区分毎に開始番号を１に設定された連続番号とするか、複数の原稿ページから成る原稿全体とした連続番号とするかをユーザに任意に選択させることができるため、ユーザに対する利便性を向上させることができる。
更に、ページ番号の種類をユーザに選択させることができるため、ユーザが所望するページ番号の種類を記録媒体に印字させることができる。
【０１７１】
また、本発明は、上記実施の形態の内容に限定されるものではなく、本発明の主旨を逸脱しない範囲で適宜変更可能である。
【図面の簡単な説明】
【０１７２】
【図１】本実施の形態における画像形成システムＡの構成図である。
【図２】操作装置１の内部構成図である。
【図３】セットアップ画面Ｇ０の例である。
【図４】ページ単位設定画面Ｇ２０ａの例である。
【図５】ウォーターマーク設定画面Ｇ３０の例である。
【図６】画像形成装置２の断面構成図である。
【図７】画像形成装置２の制御ブロック図である。
【図８】ジョブデータの一例である。
【図９】印刷処理開始時に実行される処理を示すフローチャートである。
【図１０】プリントページ設定処理のフローチャートである。
【図１１】印刷処理開始後、画像書込信号ＰＶＶがＯＮ状態からＯＦＦ状態に切り替わった際に実行される処理のフローチャートである。
【図１２】本実施の形態において実行された印刷処理のイメージ図である。
【図１３】図１２の印刷処理を実現する画像形成装置２の動作のタイムチャート例である。
【図１４】ページ単位設定画面Ｇ２０ｂの例である。
【図１５】本実施の形態において実行された印刷処理の他のイメージ図である。
【図１６】図１５の印刷処理を実現する画像形成装置２の動作のタイムチャート例である。
【符号の説明】
【０１７３】
１  操作装置
２  画像形成装置
２ａ  本体部
２ｂ  プリンタコントローラ
２１ｂ  コントローラ制御部
２２ｂ  ＤＲＡＭ制御ＩＣ
２３ｂ  画像メモリ
２４ｂ  ＬＡＮＩＦ
１１  制御部
１２  記憶部
１２ａ  プリンタドライバプログラム
１３  ＲＡＭ
１４  操作部
１５  表示部
１６  通信部
１７  バス
２０  画像読取部
２１  自動原稿送り部
２２  読取部
２２ａ  ＣＣＤイメージセンサ
３０  操作表示部
３１  ＬＣＤ
４０  プリント部
４１  給紙部
４１ａ  給紙カセット
４１ｂ  給紙手段
４２  給紙搬送部
４２ａ  レジストローラ
４３  画像形成部
４４  定着部
４５  搬送部
５０  後処理ユニット
１００  本体制御部
１１０  制御部
１２０  不揮発メモリ
１３０  ＲＡＭ
１３１  ジョブデータ
１３１ａ  ページ共通データ
１３１ｂ  ページ別データ
１４０  読取制御部
１５０  圧縮ＩＣ
１６０  ＤＲＡＭ制御ＩＣ
１７０  画像メモリ
１７１  圧縮メモリ
１７２  ページメモリ
１８０  伸長ＩＣ
１９０  書込制御部
２００  画像読取制御部
３００  操作表示制御部
４００  プリント制御部
５００  後処理制御部
Ａ  画像形成システム
ｄ  原稿
Ｇ１  セットアップインデックス
Ｇ２  ページ単位インデックス
Ｇ３  特殊画面インデックス
Ｇ４  フォームインデックス
Ｇ５  ウォーターマークインデックス
Ｇ６  画像品質インデックス
Ｇ７  フォントインデックス
Ｇ８  バージョンインデックス
Ｇ０  セットアップ画面
Ｇ１１  用紙設定エリア
Ｇ１２  出力設定エリア
Ｇ１３  製本設定エリア
Ｇ１３ａ  ステイプルチェックボックス
Ｇ１３ｂ  ステイプル設定釦
Ｇ１４  プレビューエリア
Ｇ２０ａ、Ｇ２０ｂ  ページ単位設定画面
Ｇ２１  オモテ表紙設定エリア
Ｇ２２  ウラ表紙設定エリア
Ｇ２３  ページ単位設定エリア
Ｇ２３ａ  ページ単位設定チェックボックス
Ｇ２３ｂ  画像形成条件選択釦
Ｇ２３ｃ、Ｇ２３ｄ  ページ別条件一覧エリア
Ｇ２４  プレビューエリア
Ｇ３０  ウォーターマーク設定画面
Ｇ３１  ウォーターマーク設定エリア
Ｇ３２  日付／時刻設定エリア
Ｇ３３  ページ番号設定エリア
Ｇ３３ａ  ページ番号設定チェックボックス
Ｇ３３ｂ  ページ番号種設定釦
Ｇ３３ｃ  印刷対象ページ設定釦
Ｇ３３ｄ  通し番号設定チェックボックス
Ｇ３３ｅ  ページ印字開始設定釦
Ｇ３３ｆ  開始番号設定釦
Ｇ３４  ナンバリング設定エリア
Ｇ３５  プレビューエリア
Ｉ１〜Ｉ６、Ｉ１１〜Ｉ１６  個別画像データ
Ｐ  記録媒体
Ｐｄ１〜Ｐｄ６、Ｐｄ１１〜Ｐｄ１６  プリントページデータ
Ｐｎ１〜Ｐｎ６、Ｐｎ１１〜Ｐｎ１６  ページ番号印字データ
Ｔ１  原稿トレイ
Ｔ２  手差しトレイ
Ｔ３  排紙トレイ
Ｎ  ネットワーク
【図１】
2007008124.tif 000003
【図２】
2007008124.tif 000004
【図３】
2007008124.tif 000005
【図４】
2007008124.tif 000006
【図５】
2007008124.tif 000007
【図６】
2007008124.tif 000008
【図７】
2007008124.tif 000009
【図８】
2007008124.tif 000010
【図９】
2007008124.tif 000011
【図１０】
2007008124.tif 000012
【図１１】
2007008124.tif 000013
【図１２】
2007008124.tif 000014
【図１３】
2007008124.tif 000015
【図１４】
2007008124.tif 000016
【図１５】
2007008124.tif 000017
【図１６】
2007008124.tif 000018